(57)【要約】      （修正有）【課題】乗りかごの乗客が昇降路の外部を見え難くすることを要望する特定乗客であるか否かに応じて、昇降路の外部を見え難く、または見え易くする。【解決手段】昇降路に形成された窓に対向して設けられて、昇降路の外部景観の目視を可能にさせる展望窓１２を有する乗りかご１を備えた展望用エレベーターにおいて、展望窓１２からの目視を規制する制御、及び規制を解除する制御を行う展望窓部制御部３と、乗りかご１の乗客を検出する乗客検出部１３と、乗客検出部１３で検出された乗客が、昇降路の外部を見え難くすることを要望する特定乗客か否か判別する乗客判別部２Ａとを備えており、展望窓部制御部３は、乗客判別部２Ａで特定乗客と判別されたときに、展望窓１２からの目視を規制する制御を行う。【選択図】図１
2019031362.tif 000002
【特許請求の範囲】
【請求項１】
昇降路に形成された窓に対向して設けられており、前記昇降路の外部景観の目視を可能にさせる展望窓を有する乗りかごを備えた展望用エレベーター制御システムであって、
前記展望窓からの目視を規制する制御、及び規制を解除する制御を行う展望窓部制御部と、
前記乗りかごの乗客を検出する乗客検出部と、
前記乗客検出部で検出された乗客が、前記昇降路の外部を見え難くすることを要望する特定乗客か否か判別する乗客判別部とを備えており、
前記展望窓部制御部は、前記乗客判別部で前記特定乗客と判別されたときに、前記展望窓からの目視を規制する制御を行うことを特徴とする展望用エレベーター制御システム。
【請求項２】
請求項１記載の展望用エレベーター制御システムであって、
前記展望窓は、調光ガラスから成り、
前記展望窓部制御部は、前記調光ガラスを選択的に透明または不透明に変化させる制御を行う透明不透明制御部から成ることを特徴とする展望用エレベーター制御システム。
【請求項３】
請求項１または２記載の展望用エレベーター制御システムであって、
前記乗客検出部は、前記乗りかごの内部の乗客を撮影可能なカメラから成り、
前記乗客判別部は、
前記乗りかごのドアの開閉状態を入力するドア状態入力部と、
前記カメラで撮影された画像を入力する画像入力部と、
前記画像入力部に入力された前記カメラで撮影された画像に基づいて、乗客の前記展望窓からの位置を測定する位置測定部とを有しており、
前記乗客判別部は、前記ドア状態入力部に入力された前記乗りかごの前記ドアが閉状態であり、前記カメラで撮影された画像の乗客の前記位置測定部で測定された前記展望窓からの位置が、予め定められた所定距離以上のときに、乗客が前記特定乗客であると判別することを特徴とする展望用エレベーター制御システム。
【請求項４】
請求項１または２記載の展望用エレベーター制御システムであって、
前記乗客検出部は、前記乗りかごの内部の乗客を撮影可能なカメラから成り、
前記乗客判別部は、
前記乗りかごのドアの開閉状態を入力するドア状態入力部と、
前記カメラで撮影された画像を入力する画像入力部と、
前記画像入力部に入力された前記カメラで撮影された画像に基づいて、乗客の服装が特定服装であるか否か判定する服装判定部とを有しており、
前記乗客判別部は、前記ドア状態入力部に入力された前記乗りかごの前記ドアが閉状態であり、前記カメラで撮影された画像の乗客の服装が、前記服装判定部で特定服装と判定されたときに、乗客が前記特定乗客であると判別することを特徴とする展望用エレベーター制御システム。
【請求項５】
請求項１または２記載の展望用エレベーター制御システムであって、
前記乗客検出部は、前記乗りかごの内部の乗客を撮影可能なカメラから成り、
前記乗客判別部は、
前記乗りかごのドアの開閉状態を入力するドア状態入力部と、
前記カメラで撮影された画像を入力する画像入力部と、
前記特定乗客が予め登録された乗客登録部と、
前記画像入力部に入力された前記カメラで撮影された画像に基づいて、前記乗りかごの乗客が前記乗客登録部に登録された乗客か否か確認する乗客確認部ととを有しており、
前記乗客判別部は、前記ドア状態入力部に入力された前記乗りかごの前記ドアが閉状態であり、前記画像入力部に入力された前記乗りかごの画像の乗客が、前記乗客確認部で前記乗客登録部に登録された前記特定乗客であると確認されたときに、乗客が前記特定乗客であると判別することを特徴とする展望用エレベーター制御システム。
【発明の詳細な説明】
【技術分野】
【０００１】
本発明は、展望用エレベーター制御システムに関する。
【背景技術】
【０００２】
昇降路のガラス窓を通して外部景観の目視が可能な展望窓を有する乗りかごを備えた展望用エレベーターが従来から知られている。このような展望用エレベーターの乗りかごに、展望窓を透明にすることを望まない特定乗客、例えば高所恐怖症の乗客が乗ることがある。このような高所恐怖症の乗客にとっては、乗りかごの昇降に伴って高い位置から昇降路の外部が見えることから、不安感及び不快感を生じやすい。
【０００３】
このような状況に対応させる従来技術が、特許文献１及び特許文献２に開示されている。これらの従来技術は、乗りかごの速度または乗りかごの高さ位置に応じて乗りかごの展望窓を不透明に変化させるものである。
【先行技術文献】
【特許文献】
【０００４】
【特許文献１】特開２００５−１７８９５０号公報
【特許文献２】特開２００５−３３５８７６号公報
【発明の概要】
【発明が解決しようとする課題】
【０００５】
特許文献１及び特許文献２に開示された従来技術は、高所恐怖症でない乗客が乗りかごに乗ったときでも、乗りかごの速度または乗りかごの高さ位置に応じて乗りかごの展望窓が不透明となるように変化してしまい、展望窓を不透明にすることを望まない一般乗客が、昇降路の外部景観を楽しめなくなる。従って、乗りかごの速度または乗りかごの高さ位置に応じて乗りかごの展望窓を不透明に変化させるのではなく、乗客に応じて展望窓の透明または半透明を切り替えることにより、乗客が快適にエレベーターを利用できることが求められている。
【０００６】
上記課題を解決するために、本発明の目的は、乗りかごの乗客が、昇降路の外部を見え難くすることを要望する特定乗客であるか否かに応じて、昇降路の外部を見え難く、または見え易くすることができる展望用エレベーター制御システムを提供することにある。
【課題を解決するための手段】
【０００７】
上記課題を解決するために、本発明に係る展望用エレベーター制御システムは、昇降路に形成された窓に対向して設けられており、前記昇降路の外部景観の目視を可能にさせる展望窓を有する乗りかごを備えた展望用エレベーター制御システムであって、前記展望窓からの目視を規制する制御、及び規制を解除する制御を行う展望窓部制御部と、前記乗りかごの乗客を検出する乗客検出部と、前記乗客検出部で検出された乗客が、前記昇降路の外部を見え難くすることを要望する特定乗客か否か判別する乗客判別部とを備えており、前記展望窓部制御部は、前記乗客判別部で前記特定乗客と判別されたときに、前記展望窓からの目視を規制する制御を行うことを特徴としている。
【発明の効果】
【０００８】
本発明に係る展望用エレベーター制御システムは、乗りかごの乗客が昇降路の外部を見え難くすることを要望する特定乗客のときには、昇降路の外部を見え難くして特定乗客の不安感及び不快感を少なくすることができる。また、乗りかごの乗客が、昇降路の外部を見え易くすることを要望する一般乗客のときには、昇降路の外部景観を楽しめるサービスを提供することができる。前述した以外の課題、構成及び効果は、以下の実施形態の説明により明らかにされる。
【図面の簡単な説明】
【０００９】
【図１】本発明に係る展望用エレベーター制御システムの第１実施形態の構成を示す図である。
【図２】第１実施形態の処理手順を示すフローチャートである。
【図３】本発明の第２実施形態の構成を示す図である。
【図４】第２実施形態の処理手順を示すフローチャートである。
【図５】本発明の第３実施形態の構成を示す図である。
【図６】第３実施形態の処理手順を示すフローチャートである。
【発明を実施するための形態】
【００１０】
以下、本発明に係る展望用エレベーター制御システムの実施の形態を図面に基づいて説明する。
【００１１】
［第１実施形態］
図１に示すように、本発明の第１実施形態は、昇降路に形成された窓に対向して設けられており、昇降路の外部景観の目視を可能にさせる展望窓１２を有する乗りかご１を備える展望用エレベーター制御システムである。
【００１２】
この第１実施形態は、展望窓１２からの目視を規制する制御、及び規制を解除する制御を行う展望窓部制御部を備えている。また、乗りかご１の乗客を検出する乗客検出部と、この乗客検出部で検出された乗客が、昇降路の外部を見え難くすることを要望する特定乗客か、あるいは昇降路の外部を見え易くすることを要望する一般乗客かを判別する乗客判別部２Ａとを備えている。
【００１３】
展望窓部制御部は、乗客判別部２Ａで特定乗客と判別されたときに、展望窓１２からの目視を規制する制御を行い、一般乗客と判別されたときに、展望窓１２からの目視の規制を解除する制御を行う。
【００１４】
展望窓１２は調光ガラスから成り、前述した展望窓部制御部は、調光ガラスを透明または不透明に変化させる制御を行う透明不透明制御部３から成っている。
【００１５】
前述した乗客検出部は、乗りかご１の内部の乗客を撮影可能なカメラ１３から成っている。乗客判別部２Ａは、乗りかご１のドア１１の開閉状態を入力するドア状態入力部２１Ａと、カメラ１３で撮影された画像を入力する画像入力部２２Ａと、画像入力部２２Ａに入力されたカメラ１３で撮影された画像に基づいて、乗客の展望窓１２からの位置を測定する位置測定部２３Ａとを有している。
【００１６】
乗客判別部２Ａは、ドア状態入力部２１Ａに入力された乗りかご１のドア１１が閉状態であり、カメラ１３で撮影された画像の乗客の位置測定部２３Ａで測定された展望窓１２からの位置が、予め定められた所定距離以上のときに、乗客が特定乗客、例えば高所恐怖症の乗客であると判別する。前述した予め定められた所定距離は、高所恐怖症の乗客が展望窓１２から離れる距離と経験的に見做される距離であり、乗りかご１の内部の形状寸法及び展望窓１２のサイズ等に応じて適宜設定される。
【００１７】
なお、カメラ１３で投影された画像の乗客の位置測定部２３Ａで測定された展望窓１２からの位置が、前述した所定距離よりも小さい距離のときには、乗客判別部２Ａは、乗りかご１の乗客は高所恐怖症の乗客に該当せずに一般乗客と判別する。
【００１８】
第１実施形態における処理動作を図２のフローチャートに基づいて説明する。
【００１９】
［ステップＳ１０１］  乗客判別部２Ａは、ドア状態入力部２１Ａにドア閉信号が入力されたか判定する。この判定がＹＥＳであればステップＳ１０２に進む。判定がＮＯであれば処理を終了する。
【００２０】
［ステップＳ１０２］  乗客判別部２Ａは、カメラ１３で撮影されて画像入力部２２Ａに入力された画像に基づいて、乗りかご１内に一人の乗客が乗り込んだ際に、その乗客がガラス張りの前に立っているか、すなわち乗客が調光ガラスから成る展望窓１２から所定距離に満たない距離において立っているか判定する。この判定がＮＯであれば、すなわち乗客が展望窓１２から所定距離以上離れていると判定されたときには、ステップＳ１０３に進む。判定がＹＥＳであればステップＳ１０５に進む。
【００２１】
［ステップＳ１０３］  乗客判別部２Ａは、乗りかご１内の乗客が特定乗客、すなわち高所恐怖症の乗客であると判別する。次にステップＳ１０４に進む。
【００２２】
［ステップＳ１０４］  乗客判別部２Ａから出力された判別結果に基づいて、透明不透明制御部３は、展望窓１２を構成する調光ガラスを不透明となるように制御し、処理を終了する。
【００２３】
［ステップＳ１０５］  乗客判別部２Ａは、乗りかご１内の乗客が一般乗客であると判別する。次にステップＳ１０６に進む。
【００２４】
［ステップＳ１０６］  乗客判別部２Ａから出力された判別結果に基づいて、透明不透明制御部３は、展望窓１２を構成する調光ガラスを透明となるように制御し、処理を終了する。
【００２５】
なお、透明不透明制御部３によって展望窓１２を構成する調光ガラスが不透明に制御されている状態にあって、乗りかご１が目的階である行先階に到着し、乗りかご１のドア１１が開いてドア状態入力部２１Ａにドア開信号が入力されると、乗客判別部２Ａから不透明解除信号が透明不透明制御部３に出力される。これにより透明不透明制御部３は、展望窓１２を構成する調光ガラスを透明に変化させるように制御する。
【００２６】
このように構成した第１実施形態によれば、乗りかご１の乗客が昇降路の外部を見え難くすることを要望する高所恐怖症の特定乗客のときには、昇降路の外部を見え難くして高所恐怖症の特定乗客の不安感及び不快感を少なくすることができる。また、乗りかご１の乗客が、昇降路の外部を見え易くすることを要望する一般乗客のときには、昇降路の外部景観を楽しめるサービスを提供することができる。
【００２７】
［第２実施形態］
図３に示すように、本発明の第２実施形態に係る展望用エレベーター制御システムは、乗客判別部２Ｂが、第１実施形態におけるのと同等のドア状態入力部２１Ｂ及び画像入力部２２Ｂを有している。また、画像入力部２２Ｂに入力されたカメラ１３で撮影された画像に基づいて、乗客の服装がミニスカート等の特定服装か否か判定する服装判定部２３Ｂを有している。
【００２８】
乗客判別部２Ｂは、ドア状態入力部２１Ｂに入力された乗りかご１のドア１１が閉状態であり、カメラ１３で撮影された画像の乗客の服装が、服装判定部２３Ｂで特定服装例えばミニスカートと判定されたときに、乗客が特定乗客であると判別する。
【００２９】
服装判定部２３Ｂで、カメラ１３で撮影された画像に基づいて、乗客の服装がミニスカートでないと判定されたとき、乗客判別部２Ｂは、乗客が一般乗客であると判定する。その他の構成は前述した第１実施形態と同等である。
【００３０】
第２実施形態における処理動作を図４のフローチャートに基づいて説明する。
【００３１】
［ステップＳ２０１］  乗客判別部２Ｂは、ドア状態入力部２１Ｂにドア閉信号が入力されたか判定する。この判定がＹＥＳであればステップＳ２０２に進む。判定がＮＯであれば処理を終了する。
【００３２】
［ステップＳ２０２］  乗客判別部２Ｂの服装判定部２３Ｂは、カメラ１３で撮影されて画像入力部２２Ｂに入力された画像に基づいてミニスカートの乗客が存在するか否か判定する。この判定がＹＥＳであればステップＳ２０３に進む。判定がＮＯであればステップＳ２０５に進む。
【００３３】
［ステップＳ２０３］  乗客判別部２Ｂは、乗りかご１内に特定乗客、すなわちプライバシーの保護を要する特定乗客が存在すると判別する。次にステップＳ２０４に進む。
【００３４】
［ステップＳ２０４］  乗客判別部２Ｂから出力された判別結果に基づいて、透明不透明制御部３は、展望窓１２を構成する調光ガラスを不透明となるように制御し、処理を終了する。
【００３５】
［ステップＳ２０５］  乗客判別部２Ｂは、乗りかご１内の乗客が一般乗客であると判別する。次にステップＳ２０６に進む。
【００３６】
［ステップＳ２０６］  乗客判別部２Ｂから出力された判別結果に基づいて、透明不透明制御部３は、展望窓１２を構成する調光ガラスを透明となるように制御し、処理を終了する。
【００３７】
なお、透明不透明制御部３によって展望窓１２を構成する調光ガラスが不透明に制御されている状態にあって、乗りかご１が行先階に到着し、ドア１１が開くと、前述した第１実施形態におけるのと同様に、透明不透明制御部３の制御によって展望窓１２を構成する調光ガラスは不透明に変化する。
【００３８】
このように構成した第２実施形態によれば、乗りかご１にミニスカートをはいている特定乗客が存在するときには、昇降路の外部を見え難くしてミニスカートをはいている特定乗客の不安感及び不快感を少なくして、その特定乗客のプライバシーを守ることができる。また、乗りかご１の乗客が、昇降路の外部を見え易くすることを要望する一般乗客のときには、昇降路の外部景観を楽しめるサービスを提供することができる。
【００３９】
［第３実施形態］
図５に示すように、本発明の第３実施形態に係る展望用エレベーター制御システムは、第１実施形態と同様に、乗客判別部２Ｃが、ドア状態入力部２１Ｃ及び画像入力部２２Ｃを有している。また、特定乗客が予め登録された乗客登録部２４Ｃと、画像入力部２２Ｃに入力されたカメラ１３で撮影された画像に基づいて、乗りかご１の乗客が乗客登録部２４Ｃに登録された特定乗客か否かを確認する乗客確認部２３Ｃとを有している。
【００４０】
乗客判別部２Ｃは、ドア状態入力部２１Ｃに入力された乗りかご１のドア１１が閉状態であり、画像入力部２２Ｃに入力された乗りかご１の画像の乗客が、乗客確認部２３Ｃで乗客登録部２４Ｃに登録された特定乗客であると確認されたときに、乗りかご１の乗客は特定乗客であると判別する。
【００４１】
乗客確認部２３Ｃで乗りかご１の乗客が、乗客登録部２４Ｃに登録された特定乗客でないと確認されたときには、乗客判別部２Ｃは、乗りかご１の乗客は一般乗客であると判別する。その他の構成は、前述した第１実施形態と同等である。
【００４２】
第３実施形態における処理動作を図６のフローチャートに基づいて説明する。
【００４３】
［ステップＳ３０１］  乗客判別部２Ｃは、ドア状態入力部２１Ｃにドア閉信号が入力されたか判定する。この判定がＹＥＳであればステップＳ３０２に進む。判定がＮＯであれば処理を終了する。
【００４４】
［ステップＳ３０２］  乗客判別部２Ｃの乗客確認部２３は、画像入力部２２Ｃで入力された乗りかご１の画像に基づいて乗客が乗客登録部２４Ｃに登録された特定乗客であるか否か確認する。乗客登録部２４Ｃに登録された特定乗客と確認されたときは、ステップＳ３０３に進む。登録された特定乗客であると確認されないときは、ステップＳ３０５に進む。
【００４５】
［ステップＳ３０３］  乗客判別部２Ｃは、乗りかご１内の乗客が予め登録された特定乗客と判別する。次にステップＳ３０４に進む。
【００４６】
［ステップＳ３０４］  乗客判別部２Ｃから出力された判別結果に基づいて、透明不透明制御部３は、展望窓１２を構成する調光ガラスを不透明となるように制御し、処理を終了する。
【００４７】
［ステップＳ３０５］  乗客判別部２Ｃは、乗りかご１内の乗客が一般乗客であると判別する。次にステップＳ３０６に進む。
【００４８】
［ステップＳ３０６］  乗客判別部２Ｃから出力された判別結果に基づいて、透明不透明制御部３は、展望窓１２を構成する調光ガラスを透明となるように制御し、処理を終了する。
【００４９】
なお、透明不透明制御部３によって展望窓１２を構成する調光ガラスが不透明に制御されている状態にあって、乗りかご１が行先階に到着し、ドア１１が開くと、前述した第１実施形態におけるのと同様に、透明不透明制御部３によって展望窓１２を構成する調光ガラスは透明に変化する。
【００５０】
このように構成した第３実施形態によれば、乗りかご１の乗客が乗客登録部２４Ｃに予め登録された特定乗客のときには、第２実施形態と同様に、昇降路の外部を見え難くして特定乗客の不安感及び不快感を少なくして、特定乗客のプライバシーを守ることができる。また、乗りかご１の乗客が昇降路の外部を見え易くすることを要望する一般乗客のときには、昇降路の外部景観を楽しめるサービスを提供することができる。
【００５１】
なお、第３実施形態において、乗客検出部としてカメラ１３に代えて、特定乗客の所持するＩＣカードの接触によりＩＣカードに記憶された乗客情報を出力するカード読み取り装置を設け、乗客判別部２Ｃが画像入力部２２Ｃを有さない構成とすることもできる。
【００５２】
このように構成したものでは、ドア状態入力部２１Ｃに入力された乗りかご１のドア１１が閉状態であり、乗客確認部２３で、カード読み取り装置から出力された乗客情報が、乗客登録部２４Ｃに予め登録された特定乗客に対応する乗客情報と一致すると確認されたときに、乗客判別部２Ｃは、乗りかご１の乗客は特定乗客であると判別する。
【００５３】
このように構成したものでも第３実施形態におけるのと同様に、乗客判別部２Ｃは、乗りかご１内の乗客が昇降路の外部を見え難くすることを要望する特定乗客か、または昇降路の外部を見え易くすることを要望する一般乗客かを判別することができる。
【００５４】
また、第１実施形態〜第３実施形態における乗客検出部として、カメラ１３に代えて、乗りかご１の内部に設けられた操作盤の行先階釦、あるいはドア開釦を活用する構成としてもよい。
【００５５】
例えば、目的階を特定する行先階釦が乗りかご１の乗客によって一定時間内に予め定められた複数回、連続的に押されたときに、乗客判別部２Ａ〜２Ｃは乗客が特定乗客であると判別するようにしてもよい。
【００５６】
また、行先階釦が乗りかご１の乗客によって予め定められた所定時間以上長押しされたときに、乗客判別部２Ａ〜２Ｃは乗客が特定乗客であると判別するようにしてもよい。
【００５７】
また、行先階釦と、ドア開釦とが乗りかご１の乗客によって同時に押されたときに、乗客判別部２Ａ〜２Ｃは乗客が特定乗客であると判別するようにしてもよい。
【００５８】
また、第１実施形態〜第３実施形態では、展望窓１２を調光ガラスによって構成し、展望窓１２からの目視を規制する制御、及び規制を解除する制御を行う展望窓部制御部が、展望窓１２を構成する調光ガラスを透明または不透明に制御する透明不透明制御部３によって構成されている。しかし、本発明は、展望窓部制御部を透明不透明制御部３によって構成することには限定されない。
【００５９】
展望窓１２を調光機能を有していない一般的な透明ガラスによって構成し、展望窓部制御部が、前述した一般的な透明ガラスから成る展望窓１２に、プロジェクションマッピングの映像を撮影可能なプロジェクターを制御する構成にしてもよい。このように構成した場合には、乗客判別部２Ａ〜２Ｃによって乗りかご１の乗客が特定乗客と判別されたときに、展望窓部制御部は、一般的な透明ガラスによって構成された展望窓１２にプロジェクターによってプロジェクションマッピングを投影して展望窓１２を不透明に変化させる。このように構成したものも、特定乗客の不安感及び不快感を少なくすることができる。
【００６０】
また、展望窓１２を調光機能を有していない一般的な透明ガラスによって構成し、展望窓部制御部が、一般的な透明ガラスから成る展望窓１２を昇降路の外部が見え難くするように被覆可能な電動シャッターを制御する構成にしてもよい。このように構成した場合には、乗客判別部２Ａ〜２Ｃによって乗りかご１の乗客が特定乗客と判別されたときに、展望窓部制御部の制御によって透明ガラスによって構成された展望窓１２を被覆するように電動シャッターを作動させる。このように構成したものも、特定乗客の不安感及び不快感を少なくすることができる。
【００６１】
なお、各部の構成は図示の実施形態に限定されるものではなく、本発明の主旨を逸脱しない範囲で種々の変更が可能である。
【符号の説明】
【００６２】
１・・乗りかご、２Ａ・・乗客判別部、２１Ａ・・ドア状態入力部、２２Ａ・・画像入力部、２３Ａ・・位置測定部、２Ｂ・・乗客判別部、２１Ｂ・・ドア状態入力部、２２Ｂ・・画像入力部、２３Ｂ・・服装判定部、２Ｃ・・乗客判別部、２１Ｃ・・ドア状態入力部、２２Ｃ・・画像入力部、２３Ｃ・・乗客確認部、２４Ｃ・・乗客登録部、３・・透明不透明制御部（展望窓部制御部）、１１・・ドア、１２・・展望窓、１３・・カメラ（乗客検出部）
【図１】
2019031362.tif 000003
【図２】
2019031362.tif 000004
【図３】
2019031362.tif 000005
【図４】
2019031362.tif 000006
【図５】
2019031362.tif 000007
【図６】
2019031362.tif 000008